(57)【要約】【課題】ホリゾントライトにおいて、運搬性の向上を図る。【解決手段】ホリゾントライト１は、斜め上向きの光出射口を有する筐体２と、筐体２の光出射方向前面２４の下端部２４ａから外部に導出された電源コード３ａ、４ａと、電源コード３ａ、４ａを引掛けるための引掛部６と、を備え、床面９０ａ上に載置される。この引掛部６は、筐体２における電源コード３ａ、４ａの導出部位の下方に、筐体２から光出射方向前方に延設されている。ユーザＵがホリゾントライト１を床面９０ａから持ち上げたとき、引掛部６は、電源コード３ａ、４ａが上記導出部位の直下に垂れ下がることを防止し、電源コード３ａ、４ａをこの引掛部６の延出方向へ導く。従って、電源コード３ａ、４ａの先端部及びコネクタ３１ａ、４１ａが上方へ移動するので、運搬時において、これらが床面９０ａに接することを防止できる。このため、運搬性の向上を図ることができる。【選択図】図４
2008130326.tif 000002
【特許請求の範囲】
【請求項１】
光源を内蔵し、斜め上向きの光出射口を有する筐体と、前記筐体の光出射方向前面の下端部から外部に導出され、先端部に他のライトとの連接用のコネクタを有する電源コードと、前記筐体の上部に取り付けられた持ち運び用の把持部と、を備え、舞台を含む床面上に載置されるホリゾントライトにおいて、
前記筐体における前記電源コードの導出部位の下方に、該筐体から光出射方向前方に延設され、該電源コードを引掛けるための引掛部を備え、
前記引掛部は、ユーザが前記把持部を把持してライトを床面から持ち上げた状態で、前記電源コードが前記導出部位の直下に垂れ下がることを防止することを特徴とするホリゾントライト。
【発明の詳細な説明】
【技術分野】
【０００１】
本発明は、舞台を含む床面上に載置され、舞台等の後方に設けられたホリゾントに光を照射するホリゾントライトに関する。
【背景技術】
【０００２】
従来から、ホリゾントライトは、ホリゾントすなわち舞台等の後方に設けられた幕に光を照射し、ホリゾントに空等の背景を表現する。このホリゾントライトは、天井付近からホリゾントに光を照射するアッパーホリゾントライトと、床面付近からホリゾントに光を照射するロアーホリゾントライトとに類別されている。通常、ロアーホリゾントライトは、他のロアーホリゾントライトと電気的に接続され、複数台が連接して使用される。
【０００３】
ロアーホリゾントライトとして、例えば、複数個のランプを有するものが知られている。図５は、このロアーホリゾントライト１００の構成を示す。ロアーホリゾントライト１００は、複数個のランプを内蔵し、斜め上向きの光出射口１１０ａを複数個有する筐体１１０と、他のライトとの連接用のコネクタ１２０ａ、１２０ｂを有する電源コード１２１ａ、１２１ｂと、筐体１１０の上部に取り付けられた持ち運び用の把持部（不図示）とを備える。ランプの個数と光出射口の個数とは同数であり、１個のランプの光が１個の光出射口から出射される。それぞれの光出射口には、この光出射口を塞ぐようにカラーフィルタシート（不図示）が取り付けられる。このカラーフィルタシートの色により、出射光の色が決まる。上記の電源コード１２１ａ、１２１ｂは、筐体１１０の光出射方向前面の下端部から外部に導出されている。電源コード１２１ａは、上記下端部の図中左側端部から導出されており、連接された他のロアーホリゾントライトからこの電源コード１２１ａを介して電力が供給される。また、電源コード１２１ｂは、上記下端部の図中右側端部から導出されており、この電源コード１２１ｂを介して、電力が、連接された他のロアーホリゾントライトへ供給される。
【０００４】
上記構成を有するロアーホリゾントライト１００は、図６に示されるように使用される。ロアーホリゾントライト１００の載置場所は、舞台５０等の床面５０ａ上で、且つ、ホリゾント６０近傍である。所定の場所に載置されたロアーホリゾントライト１００は、ホリゾント６０に対して均一に光（破線矢印で示す）を出射する。演技者Ｐは、床面５０ａ上で、且つ、ロアーホリゾントライト１００の背面側で演技する。観客Ｇは舞台５０前方から演技者Ｐを観る。このとき、ロアーホリゾントライト１００の背面が観客Ｇの視界に入る。ロアーホリゾントライト１００は、舞台５０等に常設されるのではなく、ユーザにより運搬され、上演される公演の内容に応じて舞台５０等に出し入れされる。図７に示されるように、ユーザは、上記の把持部１３０を把持し、ロアーホリゾントライト１００を床面５０ａから持ち上げて運搬する。
【０００５】
また、上記構成に加えて、光出射口を覆い、カラーフィルタシートのシート枠を着脱可能に保持するシート枠台を備えたロアーホリゾントライトが知られている（例えば、特許文献１参照）。このシート枠台は、上記の斜め上向き方向に進退可能に筐体に取り付けられる。従って、シート枠台を進退させることにより、このシート枠台に保持されるカラーフィルタシートと光源との距離を調整できる。この構成においては、光源が高ワット数のランプであるとき、筐体を上方へ移動させることにより、カラーフィルタシートと光源との間の距離を長くできる。このため、カラーフィルタシートを熱から保護してこのシートの寿命向上を図ることができる。また、光源が低ワット数のランプであるとき、シート枠台を下方に移動させることにより、ロアーホリゾントライトの高さを低くできる。このため、ロアーホリゾントライトを目立たなくできる。
【特許文献１】実開昭６３−１５０４０８号公報
【発明の開示】
【発明が解決しようとする課題】
【０００６】
しかしながら、従来のロアーホリゾントライト１００においては、図７に示されるように、ユーザＵが把持部１３０を把持してロアーホリゾントライト１００を床面５０ａから持ち上げた状態で、電源コード１２１ａ、１２１ｂが、筐体１１０から導出された部位の直下に垂れ下がる。このため、電源コード１２１ａ、１２１ｂやコネクタ１２０ａ、１２０ｂが床面５０ａに接することがあった。その結果、ロアーホリゾントライト１００を持ち運び難いことがあり、ロアーホリゾントライト１００は運搬性に劣っていた。また、特許文献２に記載の技術においては、カラーフィルタシートの寿命を向上させることやロアーホリゾントライトを目立たなくすることはできるが、該ライトの運搬性を向上させることはできなかった。
【０００７】
本発明は、上記の従来の問題を解決するためになされたものであり、運搬性の向上を図ることができるホリゾントライトを提供することを目的とする。
【課題を解決するための手段】
【０００８】
上記目的を達成するために請求項１の発明は、光源を内蔵し、斜め上向きの光出射口を有する筐体と、前記筐体の光出射方向前面の下端部から外部に導出され、先端部に他のライトとの連接用のコネクタを有する電源コードと、前記筐体の上部に取り付けられた持ち運び用の把持部と、を備え、舞台を含む床面上に載置されるホリゾントライトにおいて、前記筐体における前記電源コードの導出部位の下方に、該筐体から光出射方向前方に延設され、該電源コードを引掛けるための引掛部を備え、前記引掛部は、ユーザが前記把持部を把持してライトを床面から持ち上げた状態で、前記電源コードが前記導出部位の直下に垂れ下がることを防止するものである。
【発明の効果】
【０００９】
請求項１の発明によれば、ユーザがホリゾントライトを床面から持ち上げたとき、電源コードの筐体近傍部分が、引掛部の延出方向へ導かれるので、それに応じて電源コードの先端部が上方に移動する。さらに、上記先端部の上昇に伴い、コネクタが上方へ移動する。その結果、運搬時において、電源コードやコネクタが床面に接することを防止できる。このため、持ち運びがし易くなるので、運搬性の向上を図ることができる。
【発明を実施するための最良の形態】
【００１０】
本発明の一実施形態に係るホリゾントライトについて図面を参照して説明する。図１及び図２（ａ）（ｂ）は、ホリゾントライトの構成を示す。このホリゾントライト１は、ロアーホリゾントライトであり、舞台９０等の床面９０ａ上に載置され、一般に他のロアーホリゾントライトと連接して使用される。このとき、連接するホリゾントライト１は、側面が他のロアーホリゾントライトの側面と接するように設置される。以下、ロアーホリゾントライトをホリゾントライトという。
【００１１】
ホリゾントライト１は、光源である複数個の灯体１１ａ乃至１１ｄ、１２ａ乃至１２ｄ（以下、灯体１１ａ等という）と、灯体１１ａ等を内蔵し、斜め上向きの光出射口２１ａ乃至２１ｄ、２２ａ乃至２２ｄ（以下、光出射口２１ａ等という）を複数有する筐体２と、灯体１１ａ等への電力供給のための電源コード３ａ乃至３ｄ（以下、電源コード３ａ等という）と、連接された他のホリゾントライトへの送電のための電源コード４ａ乃至４ｄ（以下、電源コード４ａ等という）と、筐体２の上面２３に取り付けられた持ち運び用の把持部５と、を備える。灯体１１ａ等による光の出射方向は、図２（ｂ）において破線矢印で示されている。電源コード３ａ等のそれぞれは、先端部３０に、コネクタ３１ａ乃至３１ｄ（以下、コネクタ３１ａ等という）を有し、電源コード４ａ等は、先端部４０に、コネクタ４１ａ乃至４１ｄ（以下、コネクタ４１ａ等という）を有する。これらの電源コード３ａ等及び電源コード４ａ等は、筐体２における光出射方向の前面２４の下端部２４ａから外部に導出されている。コネクタ３１ａ等及びコネクタ４１ａ等は、ホリゾントライト１を他のホリゾントライトと連接するためのものである。さらに、ホリゾントライト１は、電源コード３ａ等の一群と、電源コード４ａ等の一群とを引掛けるための２個の引掛部６を有する。以下、ホリゾントライト１の構成を詳細に説明する。
【００１２】
灯体１１ａ等は、例えばハロゲン電球を内装している。ハロゲン電球を用いることにより、ホリゾントを高照度で均一に照らすことができる。灯体１１ａ等の個数は、図示されているように、例えば８個であり、光出射口２１ａ等の個数と同数である。光出射口２１ａ等は、筐体２に並んで形成されている。光出射口２１ａ等の並び方は、筐体２の幅方向に、図１の図中左側から２１ａ乃至２１ｄ、２２ａ乃至２２ｄの順で一列に並んだ形態である。灯体１１ａ等は、光出射口２１ａ等のそれぞれに、１個ずつ嵌め込まれている。
【００１３】
ここで、光出射口２１ａ等のうち光出射口２２ｃを例に挙げ、光出射口２１ａ等のそれぞれの近傍に設けられる部品について説明する。光出射口２２ｃは不図示のカラーフィルタシート（以下、シートという）により塞がれる。従って、光出射口２２ｃに嵌め込まれた灯体１２ｃの開口はこのシートにより塞がれる。このシートの色により、出射光の色が決まる。シートにより光出射口２２ｃが塞がれるようにこのシートを保持するシート枠２５が、筐体２前面に固定されている。このシート枠２５は、光出射口２２ｃに限らず、光出射口２１ａ等のそれぞれの近傍に１つずつ固定されており、これらのシート枠２５のそれぞれにはシートが保持されている。これらのシートの色には、赤、青、黄、緑が含まれ、例えば、赤色のシートが光出射口２１ａ、２２ａを塞ぎ、青色のシートが光出射口２１ｂ、２２ｂを塞ぐように配置されている。また、黄色のシートが光出射口２１ｃ、２２ｃを塞ぎ、緑色のシートが光出射口２１ｄ、２２ｄを塞ぐように配置されている。
【００１４】
電源コード３ａ等及び電源コード４ａ等は、筐体２の前面２４、すなわち、ホリゾントライト１使用時において観客から見て背面となる面の下端部２４ａから導出されている。電源コード３ａ等の一群と、電源コード４ａ等の一群とは、上記下端部２４ａの両側端部のそれぞれから導出されている。電源コード３ａ乃至３ｄは、筐体２の長さ方向（図１の図中左右方向）に並んで、同図の図中左側端部２４ｂから導出されている。また、電源コード４ａ乃至４ｄは、筐体２の長さ方向に並んで、同図の図中右側端部２４ｃから導出されている。
【００１５】
電源コード３ａ等のうち、電源コード３ａは、コネクタ３１ａにより接続された他のホリゾントライトから送られてきた電力を、灯体１１ａ、１２ａに供給する。同様に、電源コード３ｂは灯体１１ｂ、１２ｂに、電源コード３ｃは灯体１１ｃ、１２ｃに、電源コード３ｄは灯体１１ｄ、１２ｄに電力を供給する。上記構成おいては、例えば、光出射口２１ａ、２２ａを赤色のシートで塞ぎ、電源コード３ａを介して灯体１１ａ、１２ａに電力を供給した場合、灯体１１ａ、１２ａから出射された光は赤色のシートにより赤色光となり、この赤色光がホリゾントライト１から出射される。このように、電源コード３ａ等のうち、電力を供給する電源コードを選択することにより、ホリゾントライト１から出射させる光の色を制御できる。
【００１６】
電源コード４ａ等のうち、電源コード４ａは、灯体１１ａ、１２ａに供給された電力を、コネクタ４１ａにより接続された他のホリゾントライトへ送る。同様に、電源コード４ｂは灯体１１ｂ、１２ｂに供給された電力を、電源コード４ｃは灯体１１ｃ、１２ｃに供給された電力を、電源コード４ｄは灯体１１ｄ、１２ｄに供給された電力を他のホリゾントライトへ送る。このようにして、電源コード４ａ等は送り配線として機能する。
【００１７】
把持部５は、ヒンジ５１により筐体２の上面２３に回転自在に取り付けられている。把持部５の回転方向は、光出射方向における前後方向である。また、把持部５の取付位置は、ユーザが把持部５を握り易く、把持部５を握った状態でホリゾントライト１を持ち上げ易く、且つ、持ち運び易い位置である。
【００１８】
引掛部６は、筐体２の前面２４の下端部２４ａで、且つ、電源コード３ａ等の導出部位の下方と、電源コード４ａ等の導出部位の下方との２箇所に設けられている。この引掛部６は、筐体２の前面２４から光出射方向の前方に延設されている。ホリゾントライト１が床面９０ａ上に載置された状態において、引掛部６は床面９０ａと当接しないように形成されている。例えば、引掛部６は、筐体２の前面２４から、この前面２４に対して略直角に延出している。以下に、引掛部６の構成を示す。
【００１９】
図３（ａ）は、引掛部６の構成を示す。引掛部６は、１本の棒状部材で構成される。この棒状部材の材料は、例えばスチール、アルミ等の金属である。引掛部６は、この棒状部材を折り曲げることにより平面視略Ｌ字状に形成されており、直交する短辺部６ａと長辺部６ｂとを有する。この短辺部６ａの端部が筐体２の前面２４に対して略直角に固定される。短辺部６ａが筐体２に固定されている状態において、長辺部６ｂが引掛部６の先端部を構成する。また、この状態において、長辺部６ｂの端部は筐体２の幅方向中央に向いており、筐体２の長さ方向と水平である。電源コード３ａ等及び電源コード４ａ等は、この長辺部６ｂ上に載り、長辺部６ｂに引掛けられる。上記の短辺部６ａの固定は、例えば、筐体２内方から、短辺部６ａの端部に形成された螺入孔に、筐体２の前面２４を挟んで、ねじを螺入してねじ止めすることによりなされる。引掛部６の断面の外形は例えば円形である。引掛部６の断面の外形は、円形に限定されず、楕円形、三角形、四角形、多角形であってもよい。なお、同図に示される引掛部６においては、図中左右方向の長さが図中上下方向の幅より長いが、幅が長さより長くても、また、長さと幅とが略等しくても構わない。
【００２０】
図３（ｂ）は、引掛部６の変形例を示す。この変形例においては、引掛部６の形状が上記実施形態による引掛部６のそれと異なる。この変形例に係る引掛部６は、１本の棒状部材を折り曲げることにより、平面視略Ｌ字状ではなく、平面視略Ｕ字状に形成されており、２つの短辺部６ａと、長辺部６ｂとを有する。なお、同図に示される引掛部６においては、長さが幅より長いが、幅が長さより長くても、また、長さと幅とが略等しくても構わない。
【００２１】
図４は、ユーザによるホリゾントライト１の運搬時の様子を示す。同図において、電源コード３ｂ乃至３ｄ、４ｂ乃至４ｄ及びコネクタ３１ｂ乃至３１ｄ、４１ｂ乃至４１ｄは不図示である。ユーザが、運搬時に、把持部５を把持してホリゾントライト１を床面９０ａから持ち上げた状態で、引掛部６には、電源コード３ａ等及び電源コード４ａ等が引掛けられる。引掛部６は、電源コード３ａ等及び電源コード４ａ等の筐体２近傍部分を、この引掛部６の延出方向へ導く。そして、電源コード３ａ等及び電源コード４ａ等は、引掛部６の先端部すなわち上記の長辺部６ｂから、この先端部の略直下に垂れ下がる。このようにして、引掛部６は、電源コード３ａ等及び電源コード４ａ等が、筐体２からの導出部位の直下に垂れ下がることを防止する。
【００２２】
上記構成においては、ユーザがホリゾントライト１を床面９０ａから持ち上げたとき、電源コード３ａ等及び電源コード４ａ等の筐体２近傍部分は、引掛部６の延出方向へ導かれるので、それに応じて電源コード３ａ等及び電源コード４ａ等の先端部が上方に移動する。さらに、上記先端部の上昇に伴い、コネクタ３１ａ等及びコネクタ４ａ等が上方へ移動する。その結果、ホリゾントライト１運搬時において、電源コード３ａ等及び電源コード４ａ等やコネクタ３１ａ等及びコネクタ４ａ等が床面９０ａに接することを防止できる。このため、持ち運びがし易くなるので、運搬性の向上を図ることができる。
【００２３】
また、図５に示される従来のロアーホリゾントライト１００では、電源コード１２１ａ、１２１ｂの長さを長くし、コネクタ１２０ａとコネクタ１２０ｂとを接続することにより、電源コード１２１ａ、１２１ｂやコネクタ１２０ａ、１２０ｂが床面に接することを防止することができた。しかしながら、そのためには電源コード１２１ａ、１２１ｂの長さを長くする必要があったので、コストが増加する虞があった。一方、本実施形態のホリゾントライト１では、電源コード３ａ等及び電源コード４ａ等を長くする必要がないので、コストの抑制を図りつつ、運搬性の向上を図ることができる。
【００２４】
本発明は、上記の実施形態の構成に限定されるものでなく、使用目的に応じ、様々な変形が可能である。例えば、引掛部６が設けられる位置は、筐体２の前面２４の下端部２４ａに限定されず、筐体２において電源コード３ａ等及び電源コード４ａ等の下方となる部位で、且つ、これらを引掛けることができる部位であればよい。
【図面の簡単な説明】
【００２５】
【図１】本発明の一実施形態に係るホリゾントライトを示す正面図。
【図２】（ａ）は図１の破線枠Ａ部分の拡大図、（ｂ）は（ａ）の側面図。
【図３】上記ホリゾントライトの引掛部を示す平面図。
【図４】上記ホリゾントライトの運搬時の様子を示す図。
【図５】従来のホリゾントライトの構成を示す正面図。
【図６】上記ホリゾントライトの使用態様を示す図。
【図７】上記ホリゾントライトの運搬時の様子を示す図。
【符号の説明】
【００２６】
１  ホリゾントライト
１１ａ〜１１ｄ、１２ａ〜１２ｄ  灯体（光源）
２  筐体
２１ａ〜２１ｄ、２２ａ〜２２ｄ  光出射口
３ａ〜３ｄ、４ａ〜４ｄ  電源コード
３０、４０  先端部
３１ａ〜３１ｄ、４１ａ〜４１ｄ  コネクタ
５  把持部
６  引掛部
９０  舞台
９０ａ  床面
【図１】
2008130326.tif 000003
【図２】
2008130326.tif 000004
【図３】
2008130326.tif 000005
【図４】
2008130326.tif 000006
【図５】
2008130326.tif 000007
【図６】
2008130326.tif 000008
【図７】
2008130326.tif 000009